(57)【要約】【課題】  頂壁パネルおよび把持部の強度を維持することが可能であり、かつ原料コストを抑制することのできるカートンおよびカートンブランクを提供する。【解決手段】  物品を保持するためのカートンであって、筒状構造を形成するための底壁パネル、一対の側壁パネルおよび頂壁パネルを含む複数のパネルを備え、頂壁パネルには、側壁パネルおよび頂壁パネルの一部を打ち抜くことによって形成された把持フラップが折り曲げ自在に接続され、把持フラップは、先端部分をなす第１部分と、頂壁パネルに接続した第２部分からなり、頂壁パネルは、把持フラップ貫通開口部を備え、把持フラップは、カートン内方へ折り曲げられ、カートン内部にて頂壁パネルおよび第２部分が密着させられ、続いてカートン内方から把持フラップ貫通開口部を貫通して第１部分がカートン外方へ突出させられていることを特徴とするカートン。【選択図】        図１
0003112362.tif 000002
【実用新案登録請求の範囲】
【請求項１】
物品を保持するためのカートンであって、
上記カートンは、筒状構造を形成するための底壁パネル、一対の側壁パネルおよび頂壁パネルを含む複数のパネルを備え、
上記頂壁パネルには、上記側壁パネルおよび上記頂壁パネルの一部を打ち抜くことによって形成された把持フラップが折り曲げ自在に接続され、
上記把持フラップは、先端部分をなす第１部分と、上記頂壁パネルに接続した第２部分からなり、
上記頂壁パネルは、把持フラップ貫通開口部を備え、
上記把持フラップは、カートン内方へ折り曲げられ、カートン内部にて上記頂壁パネルおよび上記第２部分が密着させられ、続いてカートン内方から上記把持フラップ貫通開口部を貫通して上記第１部分がカートン外方へ突出させられていることを特徴とするカートン。
【請求項２】
前記把持フラップは、相対向する前記側壁パネルのそれぞれを打ち抜くことによって前記頂壁パネルに対をなして設けられ、カートン外方へ突出させられた状態で前記把持フラップの第１部分が互いに重なり合うことを特徴とする請求項１に記載のカートン。
【考案の詳細な説明】
【技術分野】
【０００１】
本考案は、物品を収容するカートンに係り、特に、組み立てが容易で、かつ原材料コストを大幅に削減することができるカートンに関する。
【背景技術】
【０００２】
従来より、物品を複数収容して商品として店舗に陳列したり、流通や消費者の使用に供されるカートンが提供されている。物品がカートンに収容された商品は、例えば店舗の陳列棚において、カートンの把持部をフックに通して複数の商品が垂下させられた状態で陳列されている。消費者は、そのような物品をカートン単位で購入した際には、カートンの頂部に形成された把持手段によってカートンを持ち運び、物品を取り出す際は、カートンを破壊して物品を取り出している。
【０００３】
一般に、物品を収容するカートンには、頂壁パネル、底壁パネルおよび前後左右の側壁パネルからなる箱状のカートンや、箱状カートンの一部が切り抜かれて窓部を有することで内容物が確認できるカートン、また、頂壁パネル、底壁パネルおよび一対の側壁パネルを備えて、前端と後端が開放された筒状構造を有し、内容物を確認することができるいわゆるラウンドアップカートンが知られている。さらに、ラウンドアップカートンの開口部に物品の脱落防止のために部分的に閉鎖構造（側壁パネル）を有するカートン等、数多くのカートンが知られており、さらに、これらカートンの頂壁パネルの一端あるいは頂壁パネルの一部に把持部パネルを有し、これを上方に折り曲げて起こすことによって把持部を形成し、持ち運びや陳列に供することができるカートンが考案されている（例えば、特許文献１参照。）。
【０００４】
しかしながら、このようなパネルの折り曲げのみによって形成される把持部は強度に問題を有しており、内容物の重量やカートンの扱い方によっては、把持部を構成するパネルとカートン本体を構成するパネルの境界をなす折目線に応力が集中して、破断してしまうという問題を有していた。
【０００５】
そのような問題に対し、頂壁パネルに隣接して独立に形成された把持部パネルを一旦カートン内方に折り曲げて頂壁パネルと重ね、さらに頂壁パネルに形成された開口部を通じて、カートン内方から外方へ把持部パネルの先端部を突出させて把持部とするカートン（例えば、特許文献２および３参照）や、カートンブランクの頂壁パネルに隣接しない他の部分に独立して形成された把持部パネルを、組み立て時においてカートンの内部から頂壁パネルに形成された開口部に通して外部に突出させて把持部を形成するカートンが開示されている（例えば、特許文献４および５参照）。
【０００６】
【特許文献１】米国特許第２，６６１，１４２号
【特許文献２】米国特許第２，１６８，３８７号
【特許文献３】米国特許第２，６６３，４８５号
【特許文献４】米国特許第２，１９１，７２３号
【特許文献５】米国特許第４，７００，８３１号
【０００７】
これらカートンによれば、独立した把持部パネルをカートン内側から頂壁パネルに重ね合わせて、その一部をカートン外部に突出させて把持部を形成しているので、例えば特許文献１，３，４のカートンでは頂壁部が２重となっており、特許文献２のカートンでは３重になるなど、把持部パネルを折り曲げて把持部を形成する従来のカートンと比較して強度が格段に向上している。
【考案の開示】
【考案が解決しようとする課題】
【０００８】
しかしながら、これらカートンでは、独立した把持部パネルを有することから、原料となるボール紙等の使用量が増加し、コストの増大という問題があった。また、特許文献２に記載のカートンブランクのように、把持部パネルがカートンブランク本体部に対して付加的に突出した形状で形成されているので、原料のボール紙からカートンブランクを打ち抜き形成する際に、把持部パネル周囲の廃棄部分が増加し、原料の無駄遣いになるという問題があった。
【０００９】
本考案は、上記状況に鑑みてなされたものであり、頂壁パネルおよび把持部の強度を維持することが可能であり、かつ原料コストを抑制することのできるカートンを提供することを目的としている。
【課題を解決するための手段】
【００１０】
本考案は、物品を保持するためのカートンであって、筒状構造を形成するための底壁パネル、一対の側壁パネルおよび頂壁パネルを含む複数のパネルを備え、頂壁パネルには、側壁パネルおよび頂壁パネルの一部を打ち抜くことによって形成された把持フラップが折り曲げ自在に接続され、把持フラップは、先端部分をなす第１部分と、頂壁パネルに接続した第２部分からなり、頂壁パネルは、把持フラップ貫通開口部を備え、把持フラップは、カートン内方へ折り曲げられ、カートン内部にて頂壁パネルおよび第２部分が密着させられ、続いてカートン内方から把持フラップ貫通開口部を貫通して第１部分がカートン外方へ突出させられていることを特徴とする。
【００１１】
上記構成の本考案のカートンにあっては、把持フラップを一旦カートン内方へ折り込んで第２部分と頂壁パネルを密着させ、続いて第１部分を把持フラップ貫通開口部に通してカートン外方へ突出させており、重なった面全体で荷重を支えているので、応力が一部に集中せず、カートン把持部の強度が向上している。しかも、付加的に把持パネル等の手段を設けたのではなく、カートンの側壁パネルに窓部を形成する際の打ち抜きによって把持フラップを形成しているので、原料コストを抑制することができる。
【００１２】
さらに、本考案においては、上記把持フラップが対をなして相対向する側壁パネルのそれぞれに設けられ、かつ重なった状態で把持フラップ貫通開口部から外方に突出していることを好ましい形態としている。このような形態によれば、荷重を支える頂壁パネルと把持フラップ第２部分の重なり面の面積が２倍になっているので、強度がより向上している。
【考案を実施するための最良の形態】
【００１３】
以下、本考案の実施形態について図面を参照しながら説明する。なお、本考案は、以下に説明する形態のカートンおよびカートンブランクに限定されない。
図１には、物品を収容するためのカートンを形成するためのものであって、ボール紙またはそれに類する折り曲げ自在なシート材から作製されたブランク１ａが示されている。図１において、ブランク１ａは、第１底壁パネル１０ａと、第１側壁パネル１１ａと、頂壁パネル１２と、第２側壁パネル１１ｂと、第２底壁パネル１０ｂとを備え、これらは折目線２０〜２３によって折り曲げ自在に連続的に接続されている。これらパネルを折り曲げ、第１底壁パネル１０ａおよび第２底壁パネル１０ｂを接続することによって、物品を収容する筒状構造が形成される。
【００１４】
また、頂壁パネル１２の第１側壁パネル１１ａおよび第２側壁パネル１１ｂが接続された方向の直交する方向には、第３側壁パネル１３ａおよび第４側壁パネル１３ｂが折目線２４および２５によって折り曲げ自在に連続的に接続されている。第１側壁パネル１１ａの側端部には、折込パネル１５ａおよび１５ｃが折目線２８ａおよび２８ｃによって折り曲げ自在に連続的に接続され、第２側壁パネル１１ｂの側端部には、折込パネル１５ｂおよび１５ｄが折目線２８ｂおよび２８ｄによって折り曲げ自在に連続的に接続されている。さらに、第３側壁パネル１３ａの端部および第４側壁パネル１３ｂの端部には、連結パネル１４ａ〜１４ｄが折目線２６ａ〜２６ｄによって折り曲げ自在に連続的に接続されている。これら連結パネル１４ａ〜１４ｄは、第３側壁パネル１３ａと折込パネル１５ａ，１５ｂとの間、および第４側壁パネル１３ｂと折込パネル１５ｃ，１５ｄとの間を連結しており、折込パネル１５ａ〜１５ｄのカートン内方への折り込みに伴って第３側壁パネル１３ａおよび第４側壁パネル１３ｂを連動させる。
【００１５】
頂壁パネル１２および第１側壁パネル１１ａには、カートンブランクの切り抜きによって窓部５０ａおよび把持フラップ３０ａ＋ｃが形成され、同様に、頂壁パネル１２および第２側壁パネル１１ｂには、窓部５０ｂおよび把持フラップ３０ｂ＋ｄが形成されている。把持フラップ３０ａ＋ｃは、第１部分３０ａおよび第２部分３０ｃからなり、第２部分３０ｃは折目線２９ａによって頂壁パネルに折り曲げ自在に連続的に接続され、第１部分３０ａは折目線２９ｃによって第２部分３０ｃに折り曲げ自在に連続的に接続されている。また、把持フラップ３０ｂ＋ｄは、第１部分３０ｂおよび第２部分３０ｄからなり、第２部分３０ｄは折目線２９ｂによって頂壁パネルに折り曲げ自在に連続的に接続され、第１部分３０ｂは折目線２９ｄによって第２部分３０ｄに折り曲げ自在に連続的に接続されている。窓部５０ａ，５０ｂは、陳列中のカートンに保持されている内容物を確認するためのものである。把持フラップ第１部分３０ａおよび３０ｂは、後述のカートン組立工程においてカートンの把持手段を構成する。従来のカートンでは、前述のように把持手段を形成するために独立した把持パネルを必要とし、カートンブランク原料コストの増大という問題を有していたが、本考案においては、窓部の切り抜きと同時に把持フラップを形成しているので、原料コストを抑制することができるという特徴を有する。また、頂壁パネル１２には、把持フラップ貫通開口部４０が形成されている。把持フラップ貫通開口部４０は、把持フラップ第１部分３０ａ，３０ｂをカートン外方に貫通させて把持手段を形成するための開口部である。カートンが組み立てられた状態において把持手段を形成し、使用者は、この把持手段を把持して、物品を収容したカートンの持ち運びを容易にすることができる。
【００１６】
第２底壁パネル１０ｂには、ロックフラップ３１が形成されており、第１底壁パネル１０ａには、ロックフラップ受容スリット４１が形成されている。カートンの組み立ての際、ロックフラップ３１をロックフラップ受容スリット４１に挿入することによって、第１底壁パネル１０ａ、第１側壁パネル１１ａ、頂壁パネル１２、第２側壁パネル１１ｂ、および第２底壁パネル１０ｂからなる筒状構造を形成する。
【００１７】
図１に示すブランク１ａからカートンを組み立てるために、連続的な折り曲げ作業が行われる。折り曲げ作業は、直線状の機械ラインでブランクないしカートンを反転または回転させることなく行われる。また、機械ラインではなく手作業で組み立てる場合も同様である。以下はその手順を示すものであるが、本考案は以下の例に限定されるものではない。
【００１８】
まず、組み立て後にカートンの内側となる面が上方、カートンの外側となる面が下方になるように、ブランク１ａを水平に置く。次に、折目線２９ａおよび２９ｂに沿って把持フラップ第２部分３０ｃおよび３０ｄを上方（組み立て後のカートン内方）に折り曲げて第２部分３０ｃおよび３０ｄと頂壁パネル１２を密着させながら、折目線２９ｃおよび２９ｄに沿って把持フラップ第１部分３０ａおよび３０ｂを折り曲げて把持フラップ貫通開口部４０に挿入し、ブランク下方（組み立て後のカートン外方）に突出させる。続いて、折目線２１，２２，２４，２５に沿って第１側壁パネル１１ａ、第２側壁パネル１１ｂ、第３側壁パネル１３ａ、および第４側壁パネル１３ｂを上方に折り曲げると同時に折目線２８ａ〜２８ｄに沿って折込パネル１５ａ〜１５ｄをカートン内方に折り曲げて、折込パネル１５ａ〜１５ｄを第１側壁パネル１１ａおよび第２側壁パネル１１ｂに密着させる。最後に、内容物を上下逆の方向にカートン内に挿入し、折目線２０および２３に沿って第１底壁パネル１０ａおよび第２底壁パネル１０ｂを折り曲げてカートンを閉鎖し、ロックフラップ３１をロックフラップ受容スリット４１に挿入して、閉鎖を固定する。こうして図２に示すようなパッケージが完成する（図中、内容物品は省略し、カートンのみを示している）。
【００１９】
本実施形態のカートンにおいては、図３に示すように、把持パネルをカートン内方に折り込んで第２部分と頂壁パネルを密着させ、さらに第１部分を把持パネル貫通開口部からカートン外方に突出させて把持手段を構成しているので、内方に折り込まれた把持パネル第２部分と頂壁パネル１２が密着することによって把持手段がカートン本体を支持している。このように、密着したパネル面全体で重量を支持しているので、強度が保たれている。さらに、把持パネルは、カートン本体に対する付加的なパネル部分からなるのではなく、窓部を形成する際の不要部分の切り抜きに際して形成されるので、原料コストの増大を抑制することができる。
【００２０】
また、本実施形態においては、折込パネルを折り込んで側壁パネルに密着させた後、物品を収容し、収容物品が折込パネルを側壁パネルに密着させた状態を保持しているので、連結パネルによってこれら折込パネルに接続された第３および第４側壁パネルも閉鎖した状態で保持される。このように、糊付けやフラップの係合等、他に何ら接続手段を施さなくても、物品を支持することによって側壁パネルの閉鎖が支持される。しかしながら、本考案の筒状構造開口部の閉鎖機構はこの例のみに限定されず、他の任意の接続手段を用いることができる。
【００２１】
本実施形態においては、カートン底壁パネルの閉鎖をロックフラップとスライドロックフラップ受容スリットの係合によって行ったが、本考案はこれらのみに限定されるものではなく、糊付け等、任意の閉鎖手段を講じることができる。
【００２２】
上記の説明で使用した頂、底、端、前、後、内側、および外側などの方向を表わす用語は、それぞれのパネルをそのような方向に限定するものではなく、単にパネルどうしを互いに区別するためのものにすぎない。折目線という用語は必ずしも単一の折目線を指すものではなく、本考案の範囲を逸脱しない限りにおいて、１または複数の刻み線や、例えばミシン目やプレス型押しで薄くした線等の容易に折れたり曲がったりする線であっても良い。また、本考案は、考案の範囲から逸脱することなく、種々の配列の物品のカートンに適用することができる。
【産業上の利用可能性】
【００２３】
以上説明したように、本考案によれば、把持部の強度の維持および原料コスト増大の抑制を両立することができるカートンおよびカートンブランクを提供することができる。
【図面の簡単な説明】
【００２４】
【図１】本考案の一実施形態におけるカートンブランクを示す平面図である。
【図２】図１のカートンブランクを組み立てたカートンの斜視図である。
【図３】図２におけるカートン把持部のＡ−Ａ線断面図である。
【符号の説明】
【００２５】
１ａ    カートンブランク
１０ａ  第１底壁パネル
１０ｂ  第２底壁パネル
１１ａ  第１側壁パネル
１１ｂ  第２側壁パネル
１２    頂壁パネル
１３ａ  第３側壁パネル
１３ｂ  第４側壁パネル
１４ａ〜１４ｄ  連結パネル
１５ａ〜１５ｄ  折込パネル
２０〜２９  折目線
３０ａ，３０ｂ    把持フラップ（第１部分）
３０ｃ，３０ｄ    把持フラップ（第２部分）
３１    ロックフラップ
４０    把持フラップ貫通開口部
４１    ロックフラップ受容スリット
５０ａ，５０ｂ    窓部 
【図１】
0003112362.tif 000003
【図２】
0003112362.tif 000004
【図３】
0003112362.tif 000005